(57)【要約】【課題】畑と同様の野菜を栽培するための多量の土を収容できるプランターであって、剛性が高く、任意の場所に排水を行うことができる移動式のプランターを提供すること。【解決手段】  底壁と当該底壁の周囲に側壁を形成した上端開口の木製の木枠を設けるとともに、当該木枠の内側面にＦＲＰ等の繊維強化プラスチックによる防水層を形成し、前記底壁および当該底壁の内面に形成した前記防水層に表裏貫通する水抜き孔を形成したことを特徴とする。【選択図】図１
2010051224.tif 000002
【特許請求の範囲】
【請求項１】
底壁と当該底壁の周囲に側壁を形成した上端開口の木製の木枠を設けるとともに、当該木枠の内側面にＦＲＰ等の繊維強化プラスチックによる防水層を形成し、前記底壁および当該底壁の内面に形成した前記防水層に表裏貫通する水抜き孔を形成したことを特徴とするプランター。
【請求項２】
前記木枠の外側面に、当該木枠の形状を保持する鋼製のフレームを設けたことを特徴とする請求項１記載のプランター。
【請求項３】
前記木枠の底面若しくは前記鋼製のフレームの底面に、移動用のキャスターを設けたことを特徴とする請求項１または２記載のプランター。
【請求項４】
前記木枠の底面に、前記水抜き孔を介した排水を集約して排水する樋部材を設けたことを特徴とする請求項１乃至請求項３の何れか１項記載のプランター。
【請求項５】
前記木枠の上端部外側面に、物品の吊り下げ用の棒状体を設けたことを特徴とする請求項１乃至請求項４の何れか１項記載のプランター。
【発明の詳細な説明】
【技術分野】
【０００１】
本発明は、植物を栽培するプランターに関するものである。
【背景技術】
【０００２】
従来特許文献１記載のプランター保護ケースが知られている。当該プランター保護ケースは、底部にキャスターおよび水抜き孔を設けた剛性の高いアルミ等の金属製からなる保護ケースにプラスチック製の容器であるプランターを嵌合したものである。そして、当該プランター保護ケースは、移動する場合であっても、内部に収容したプランター自体を持ち上げて運搬する必要が無いために、プランターを破損することが無いというものである。
【０００３】
上記プランター保護ケースは、プラスチック製のプランターの側面全体を金属板による保護ケースによって覆い、さらに当該プランターと保護ケースを一体化したものに鋼製の側枠を取り付けたものである。しかし、金属板による保護ケースでは、素材のコストが高いという欠点を有している。また、排水孔を有しているものの、水をそのまま接地面に落とすようになっているため、濡れてしまうと都合の悪い場所では水を供給することが出来ないものである。
【０００４】
【特許文献１】登録実用新案公報第３０３３８１６号公報
【発明の開示】
【発明が解決しようとする課題】
【０００５】
本発明は、上記課題に鑑み発明したものであって、畑と同様の野菜を栽培するために多量の土を収容できるプランターであって、高価な金属による保護ケースを用いることなく剛性の高いプランターを形成し、さらに排水を集約することで接地面を水浸しにすることがない移動式のプランターを提供することを課題とするものである。
【課題を解決するための手段】
【０００６】
上記課題を解決するために、本発明に係る請求項１記載のプランターは以下の構成を有する。すなわち、
底壁と当該底壁の周囲に側壁を形成した上端開口の木製の木枠を設けるとともに、当該木枠の内側面にＦＲＰ等の繊維強化プラスチックによる防水層を形成し、前記底壁および当該底壁の内面に形成した前記防水層に表裏貫通する水抜き孔を形成したことを特徴とする。
【０００７】
また、本発明に係る請求項２記載のプランターは以下の構成を有する。すなわち、
前記木枠の外側面に、当該木枠の形状を保持する鋼製のフレームを設けたことを特徴とする請求項１記載のプランター。
【０００８】
また、本発明に係る請求項３記載のプランターは以下の構成を有する。すなわち、
前記木枠の底面若しくは前記鋼製のフレームの底面に、移動用のキャスターを設けたことを特徴とする請求項１または２記載のプランター。
【０００９】
また、本発明に係る請求項４記載のプランターは以下の構成を有する。すなわち、
前記木枠の底面に、前記水抜き孔を介した排水を集約して排水する樋部材を設けたことを特徴とする請求項１乃至請求項３の何れか１項記載のプランター。
【００１０】
また、本発明に係る請求項５記載のプランターは以下の構成を有する。すなわち、
前記木枠の上端部外側面に、物品の吊り下げ用の棒状体を設けたことを特徴とする請求項１乃至請求項４の何れか１項記載のプランター。
【発明の効果】
【００１１】
本発明に係るプランターは、木枠の内面にＦＲＰ等の強化繊維樹脂層によって補強を兼ねた防水層を直接的に形成したものであるので、大型のプランターであっても収容した土の重量によって変形や破損をすることがなく、木枠に接する水を遮断することによって腐食等による木枠の劣化を防止することができるという効果を有している。
また、排水を集約してホース等に排出することができる樋部材を有しているので、プランターからの排水を直接落下させたくない場所に設置する場合であっても、プランターの設置位置と異なる場所に排水を行うことができるという効果を有している。
【発明を実施するための最良の形態】
【００１２】
以下、発明を実施するための最良の形態について説明する。図１は、本実施の形態に係るプランター１の分解斜視図であり、図２はプランター１の外観斜視図を表している。
当該プランター１は、主な構成として木枠２と当該木枠２の外側部に設けられた鋼製のフレーム３を有している。木枠２は杉や檜等の板材を適宜組み合わせることによって底壁４および当該底壁４を取り囲む側壁５、６，７、８を有した立方体状の有底の箱形に形成されたものである。
底壁４は、複数枚の細板片４ａ、４ｂ、４ｃを並べて一枚の板状体としたものである。また、当該底壁４を取り囲む側壁５、６、７、８もそれぞれ複数枚の細板片（５ａ、５ｂ・・）（６ａ、６ｂ・・）（７ａ、７ｂ・・）（８ａ、８ｂ・・）を並べて各一枚の板状体としたものである。各細板片には、主として間伐材が用いられる。
【００１３】
前記底壁４および側壁５、６、７、８は、鋼製のフレーム３によって箱状体としての形状が保持されるようになっている。すなわち、底壁４および側壁５、６、７、８の組み合わせによって形成される箱状体の各辺を、フレーム３のフレーム要素（３ａ〜３ｆ）によって外側から規制するようになっている。
各フレーム要素（３ａ〜３ｆ）は、断面がＬ字状のアングル材によって形成されており、その内面によって底壁４および側壁５、６、７、８によって形成される箱状体の角を規制するようになっている。そして、各フレーム要素（３ａ〜３ｆ）には複数の小孔９が設けられており、当該小孔９を介した木ねじ（図示せず）によって前記各細板片を固定し、箱状体としての形状を保持するようになっている。
【００１４】
また、フレーム３は前述したフレーム要素（３ａ〜３ｆ）の他に、長手方向の側壁７、８の外側面の中央部を補助的に支えるフレーム要素３g、３ｈを有している。当該フレーム要素３g、３ｈにも複数の小孔９が設けられており、当該小孔９を介した木ねじによってフレーム要素３g、３ｈと各細板片を固定するようになっている。
前記木枠２は、フレーム３によって外形を規制され、横幅の内寸および深さが大凡４０ｃｍ若しくは４０ｃｍを超える寸法となるように形成されている。
【００１５】
前述したように、フレーム３によって前記各底壁４および側壁５、６、７、８が固定され、所定の容積を有する箱状体が形成されるようになっている。また、底壁４の中央部には複数の水抜孔１０が長手方向に沿って一列を成すように設けられている。
そして、フレーム３の底部にはその四角にキャスター１１が取り付けられており、当該キャスター１１によってフレーム３を移動させることができるようになっている。
【００１６】
また、側壁５、６、７、８の最上部を構成する細板片５ｄ、６ｄ、7ｄ、８ｄの内、長手方向の側壁を構成する細板片7ｄ、８ｄの外側面には、スペーサー１２を介して棒状体１３が取り付けられている。本実施の形態では、棒状体１３は矩形の断面を有する板状の木材を使用しているが、手すりのように断面が丸型の棒状に形成しても差し支えがないものである。当該棒状体１３は、後に壁掛け用のプランターを吊り下げたり、各種装飾物、プランター１に対する装着物を取り付ける際に使用されるものとなっている。
なお、上記の棒状体１３は木枠２に対して固定したものであるが、本発明に係るプランターは、これを着脱可能に設けても差し支えのないものである。図３は、木枠２の側壁７、８の上縁に棒状体２０を着脱可能に設ける例を表している。当該棒状体２０は、前述した棒状体１３と同様に矩形の断面を有する板状体若しくは断面が丸型の棒状体として形成されている。そして、当該棒状体２０には、木枠２との間に隙間を形成するスペーサー２１を介して、取付金具２２が設けられている。取付金具２２は、アルミニウム等の金属によって形成されており、先端に木枠２の上端縁に吊り下げるために使用する逆Ｕ字形状のフックを形成し、末端部を前記スペーサー２１を介して当該棒状体２０に取り付ける部位として形成したものである。図３に示した棒状体２０は、当該構成によって木枠２に対して着脱可能に設けられている。このように棒状体２０を着脱可能とすることにより、無駄なスペースを形成しないように、複数のプランターを密着させた状態で並べて配置することが可能となる等、適宜使用状態に応じて棒状体２０の着脱を選択的に行うことができるという効果を有している。
【００１７】
また、フレーム３内に装着固定された底壁４および側壁５、６、７、８の内面には、繊維強化プラスチック（ＦＲＰ）による防水層１４が設けられる。当該防水層１４は、シート状に形成されたガラス繊維等の繊維を織り合わせた複数枚のシート１４ａ、１４ｂ、１４ｃを木枠２の内壁面に貼り付け、樹脂を浸透させて硬化させたものである（図４）。
このように、木製の内壁面上に形成された樹脂層は内壁面に対して強固に接着される。防水層１４は、木枠２の内壁面上に剛性の高い容器状の収容部を強度の高いＦＲＰと一体的に形成したものであるので、防水効果による木枠２への水の浸透および細板片の隙間からの漏水を防止するとともに、木枠２を補強することで多量に入れた土の重量による破損や変形を発生させにくくするという作用を有している。
また、防水層１４を形成する際に、底壁４に形成した水抜孔１０と対応する孔１５を設けており、防水層１４内の水を当該孔１５および底壁４の水抜孔１０を介して排水することができるようになっている。
なお、本発明に使用するＦＲＰには、ガラス繊維強化プラスチック、炭素繊維強化プラスチック、ボロン繊維強化プラスチック、アラミド（ケブラー）繊維強化プラスチック等の何れを用いても構わない。
【００１８】
フレーム３に装着された木枠２の底面には、底壁４に形成した水抜孔１０から排出された水を受けて集約する樋部材１７が装着される。当該樋部材１７は、受け止めた水を排水する排水パイプ１６を有しており、当該排水パイプ１６に適宜ホース１８を接続することによって、プランターを設置した場所以外の場所に排水を行うことができるようになっている。このため、コンクリートやアスファルトの上でも農作業をすることができるものであり、都会のマンションでも安心して使用することができるものである。
【００１９】
本実施の形態に係るプランター１は、一例として幅が約７０ｃｍ、キャスターを除く高さが約４５ｃｍ、全長１２０〜２００ｃｍの外形に形成されており、畑と同様に野菜を栽培するための十分な深さを有し、多量の用土を収容可能とすることによって保水性がよいという特徴を有している。そして、大根等の根の長い野菜の他、ネギ、パセリ、ミツバ、葉わさび等ほぼ全ての野菜に使用可能である。
また、プランター１は、キャスターによって移動が容易に形成されているので、季節や日々の天候にあわせて場所を移動することができる。また、高さがあるので、楽に作業を行うことができるという特徴を有している。
【産業上の利用可能性】
【００２０】
本発明は、野菜を栽培することができる大型の可動式プランターに利用可能である。
【図面の簡単な説明】
【００２１】
【図１】本発明に係るプランターの分解斜視図である。
【図２】本発明に係るプランターの外観斜視図である。
【図３】本発明に係るプランターの他の例に関する説明図である。
【図４】本発明に係るプランターに設ける防水層の説明図である。
【符号の説明】
【００２２】
１  プランター
２  木枠
３  フレーム
４  底壁
５、６，７、８  側壁
９  小孔
１０  水抜孔
１１  キャスター
１２  スペーサー
１３  棒状体
１４  防水層
１５  孔
１７  樋部材
１６  排水パイプ
１８  ホース
２１  スペーサー
【図１】
2010051224.tif 000003
【図２】
2010051224.tif 000004
【図３】
2010051224.tif 000005
【図４】
2010051224.tif 000006